(57)【要約】  本発明は、アンカーボルトと、アンカーボルトを囲む拡張スリーブと、アンカーボルトの前部領域に位置する拡張本体を有し、拡張本体は、拡張スリーブを拡張させるための収束ゾーンを有し、拡張本体は少なくとも１つの拡張本体凹部を備えている、拡張アンカーに関する。本発明において、少なくとも１つの拡張本体凹部は、拡張スリーブ当接壁によって区画されており、少なくとも１つの拡張本体凹部は非軸対称断面を有する。
2021528602.tif 000002
【特許請求の範囲】
【請求項１】
アンカーボルト（１０）と、
前記アンカーボルト（１０）を囲む拡張スリーブ（３０）と、
前記アンカーボルト（１０）の前部領域に位置する拡張本体（１２）であって、前記拡張本体（１２）が、前記拡張スリーブ（３０）を拡張させるための収束ゾーン（２３）を有し、前記拡張本体（１２）が、少なくとも１つの拡張本体凹部（６６）を備えている、拡張本体と、
を有する拡張アンカーであって、
前記少なくとも１つの拡張本体凹部（６６）は、拡張スリーブ当接壁（６０）で区画されており、
前記少なくとも１つの拡張本体凹部（６６）は、非軸対称断面を有する、
ことを特徴とする拡張アンカー。
【請求項２】
前記少なくとも１つの拡張本体凹部（６６）は、断面において、第１の拡張本体凹部側壁（６１）および第２の拡張本体凹部側壁（６２）を有する、ことを特徴とする請求項１に記載の拡張アンカー。
【請求項３】
前記第１の拡張本体凹部側壁（６１）は、前記第２の拡張本体凹部側壁（６２）よりも急勾配である、ことを特徴とする請求項２に記載の拡張アンカー。
【請求項４】
前記第２の拡張本体凹部側壁（６２）は、断面が凸状に湾曲している、ことを特徴とする請求項２または３に記載の拡張アンカー。
【請求項５】
前記拡張スリーブ（３０）は、前記拡張スリーブ（３０）の前端から始まる少なくとも１つのスリット（３６）を有し、
前記少なくとも１つのスリット（３６）が、前記第１の拡張本体凹部側壁（６１）と重複する位置にあるか、または前記アンカーボルト（１０）を中心に前記拡張スリーブ（３０）を回転させることによって少なくともこの位置にもたらされ得る、
ことを特徴とする請求項２〜４のいずれか１項に記載の拡張アンカー。
【請求項６】
前記少なくとも１つのスリット（３６）を前記第１の拡張本体凹部側壁（６１）と重複する位置に保持するための回転ロックを有する、ことを特徴とする請求項５に記載の拡張アンカー。
【請求項７】
前記アンカーボルト（１０）は、前記拡張本体１２に隣接して位置するネック（２５）を有し、
前記ネック（２５）は、少なくとも１つのネック凹部（７６）を備え、
前記拡張スリーブ（３０）は、前記ネック凹部（７６）に係合する、
ことを特徴とする請求項１〜６のいずれか１項に記載の拡張アンカー。
【請求項８】
前記少なくとも１つのネック凹部（７６）は、前記少なくとも１つの拡張本体凹部（６６）と円周方向に重複する、ことを特徴とする請求項７に記載の拡張アンカー。
【請求項９】
前記少なくとも１つのネック凹部（７６）は、非軸対称断面を有する、ことを特徴とする請求項７または８に記載の拡張アンカー。
【請求項１０】
前記少なくとも１つのネック凹部（７６）は、断面において、第１のネック凹部側壁（７１）および第２のネック凹部側壁（７２）を有し、
前記第２のネック凹部側壁（７２）は、前記第１のネック凹部側壁（７１）よりも急勾配である、
ことを特徴とする、請求項７〜９のいずれか１項に記載の拡張アンカー。
【請求項１１】
前記第１のネック凹部側壁（７１）は、前記第１の拡張本体凹部側壁（６１）と円周方向に重複しており、および／または前記第２のネック凹部側壁（７２）は、前記第２の拡張本体凹部側壁（６２）と円周方向に重複している、ことを特徴とする請求項１０および請求項２〜６のいずれか１項に記載の拡張アンカー。
【請求項１２】
前記第１のネック凹部側壁（７１）は、断面が凸状に湾曲している、ことを特徴とする請求項１０または１１に記載の拡張アンカー。
【請求項１３】
前記アンカーボルトは、締結方向を定義するネジ（１８）を有し、前記第２のネック凹部側壁（７２）が、前記締結方向に面している、ことを特徴とする請求項１０〜１２のいずれか１項に記載の拡張アンカー。
【請求項１４】
前記少なくとも１つの拡張スリーブ当接壁（６０）は、前記拡張スリーブ（３０）を乗り越え可能に妨害するためのものである、ことを特徴とする請求項１〜１３のいずれか１項に記載の拡張アンカー。
【請求項１５】
前記少なくとも１つの拡張スリーブ当接壁（６０）は、前記アンカーボルト（１０）の後部に向かって先細になっており、
前記アンカーボルト（１０）の長手方向軸（９９）に対して測定される、前記少なくとも１つの拡張スリーブ当接壁（６０）の最大勾配（αｍａｘ）が、３０°よりも大きいか、および／または８０°よりも小さい、
ことを特徴とする請求項１〜１４のいずれか１項に記載の拡張アンカー。
【請求項１６】
前記拡張本体（１２）は、複数の拡張本体凹部（６６）を有し、各拡張本体凹部（６６）は、拡張スリーブ当接壁（６０）によって区画されており、前記拡張スリーブ当接壁（６０）が、隣接して配設されている、ことを特徴とする請求項１〜１５のいずれか１項に記載の拡張アンカー。
【請求項１７】
請求項１〜１６のいずれか１項に記載の拡張アンカーを使用するための方法であって、
前記拡張本体（１２）は、前記拡張スリーブ（３０）に対して後方に移動され、前記拡張スリーブ（３０）が、前記少なくとも１つの拡張スリーブ当接壁（６０）に当たる、方法。
【発明の詳細な説明】
【技術分野】
【０００１】
本発明は、請求項１の前文に記載の拡張アンカーに関する。かかるアンカーは、アンカーボルトと、アンカーボルトを囲む拡張スリーブと、アンカーボルトの前部領域に位置する拡張本体と、を備え、拡張本体は、拡張スリーブを拡張させるための収束ゾーンを有し、拡張本体は、少なくとも１つの拡張本体凹部を備えている。
【背景技術】
【０００２】
特許文献１は、拡張本体に拡張スリーブ当接壁が設けられた拡張アンカーを記載している。拡張スリーブ当接壁は、拡張スリーブと係合して、固定プロセスが前進状態に達したときにインターロックを提供することができる。このインターロックは、拡張スリーブの追加的な大幅な拡張なしに、すなわちコンクリートに追加の応力を加えることなく、拡張スリーブからの拡張本体の引き抜きに対する抵抗を増加させることができる。好ましくは、拡張アンカーは、その拡張本体に凹部を有し、スリーブ当接壁は、これらの凹部の前端に提供される。
【０００３】
特許文献２は、拡張本体に配置されたアンカーの前端に対して閉じた溝を有し、溝は、拡張スリーブと拡張本体の収束ゾーンとの間の接触面を少なくする、拡張アンカーを記載している。具体的には、個々の溝は、拡張スリーブが拡張されたときに、拡張スリーブが溝に曲がることを回避するために比較的狭い。
【０００４】
特許文献３は、拡張スリーブがその内側に少なくとも１つの畝状部を有し、その畝状部がアンカーボルトのネックに設けられた溝に係合する、拡張アンカーを開示している。設置中、この畝状部は、拡張本体によって径方向外側に変位され、すなわち、畝状部の材料が作動され、特に広い拡張をもたらす。
【０００５】
特許文献４は、アンカーボルトの回転時に拡張スリーブを広げる偏心領域を備えたアンカーボルトを示す。
【０００６】
特許文献５は、縦方向の縁部を有する拡張本体を示す。
【０００７】
特許文献６は、拡張スリーブとアンカーボルトとの間に回転ロックが設けられた拡張アンカーを開示している。この回転ロックは、ボルトの拡張本体に延在する溝、および拡張スリーブから突出する対応する突出部によって形成されてもよい。特許文献６の一実施形態では、溝は、拡張本体の全体に沿って軸方向に延在し、突出部は、拡張スリーブの全体に沿って軸方向に延在する。別の実施形態では、突出部は、より短く、拡張スリーブ先端から拡張スリーブの後端に向かってオフセットされている。
【０００８】
特許文献７は、拡張本体上に径方向に突出した畝状部を有し、その畝状部は、アンカーの拡張スリーブの内側に作用することができる、拡張アンカーを記載している。
【０００９】
特許文献８は、拡張本体の前端に環形状の肩部を有する拡張アンカーを開示している。特許文献９および特許文献１０は各々、拡張本体の前端にばねリングを有するアンカーを開示している。
【００１０】
特許文献１１および特許文献１２は、ファスナーを記載している。両方の場合において、スリーブは、歯部を介して内側のボルトと連結する。
【先行技術文献】
【特許文献】
【００１１】
【特許文献１】欧州特許出願第１７１９８２４６．５号明細書
【特許文献２】国際公開第１５０６７５７８号（Ａ１）明細書
【特許文献３】欧州特許出願公開第２８４８８２５号（Ａ１）明細書
【特許文献４】欧州特許出願公開第２５１４９７９号（Ａ１）明細書
【特許文献５】欧州特許出願公開第２３０９１３８号（Ａ２）明細書
【特許文献６】独国特許出願公開第２２５６８２２号（Ａ１）明細書
【特許文献７】国際公開第１２１２６７００号（Ａ１）明細書
【特許文献８】スイス国特許第５９１６３７号（Ａ５）
【特許文献９】独国特許出願公開第２７４４６６６号（Ａ１）明細書
【特許文献１０】米国特許第４２８７８０７号
【特許文献１１】欧州特許出願公開第０５１５９１６）号（Ａ２明細書
【特許文献１２】独国特許出願公開第３４１１２８５号（Ａ１）明細書
【発明の概要】
【発明が解決しようとする課題】
【００１２】
本発明の目的は、製造が容易でありながら、特にコンクリートのための、高い性能を有する拡張アンカーを提供することである。
【課題を解決するための手段】
【００１３】
この目的は、請求項１に記載の拡張アンカーによって達成される。従属請求項は好ましい実施形態を記載する。
【００１４】
本発明のアンカーは、少なくとも１つの拡張本体凹部が、特にその前端において、拡張スリーブ当接壁によって区画され、少なくとも１つの拡張本体凹部が非軸対称断面を有することを特徴とする。
【００１５】
本発明の第１の基本的な考え方は、少なくとも１つの拡張スリーブ当接壁を備える拡張本体を提供することに見られ、その拡張スリーブ当接壁は、アンカーの設置前は拡張スリーブに面し、したがって、アンカーが取り付けられる場合、拡張本体が拡張スリーブの拡張中に拡張スリーブに沿って移動するときに拡張スリーブが拡張スリーブ当接壁に当たることができる。これはアンカー性能を大幅に向上させることができることが発見された。以下の機構は、観察された改善を説明することができる。拡張スリーブの先端が拡張スリーブ当接壁に触れると、拡張スリーブと拡張本体との間に、ある種の一時的な形状適合が生成され得る。この形状適合は、拡張スリーブからの拡張本体の引き抜きに対する抵抗を増加させることができるが、拡張スリーブの追加的な大幅な拡張なしに、すなわち拡張力を大幅に増加させることなく、これを行うことができる。拡張力が低いため、アンカーを囲む基板、例えばコンクリートに過剰な応力がかかることはなく、一方、引き抜き荷重は、著しく増加する。したがって、拡張スリーブ当接壁と拡張スリーブとの間のインターロックにより、コンクリート耐力は、標準の拡張アンカーのレベルを大幅に上回ることができる。さらに、拡張スリーブ当接壁と拡張スリーブとの間のインターロックは、拡張スリーブと拡張本体との間の相対移動を減らすことができるため、具体的には繰り返し荷重によるひび割れコンクリートの状態でのアンカーの総変位挙動を改善することもできる。
【００１６】
本発明の第２の基本的な考えは、拡張本体の凹部の端部、具体的には前端に拡張スリーブ当接壁を設けることで見られる。言い換えれば、拡張スリーブ当接壁は、凹部の前端壁を形成する。これは、ａ）凹部は、製造することが特に容易であり、ｂ）凹部の端部に形成された壁、すなわち少なくとも部分的にくぼんだ壁は、特に頑丈であり、ｃ）少なくとも部分的にくぼんだ壁は、拡張機構との、または孔壁との望ましくない干渉を受けにくい傾向があり、およびｄ）凹部は、追加の好ましい機能、とりわけ基板応力緩和を有することができるという、いくつかの利点を有する。具体的には、拡張スリーブが拡張本体に対して前方に移動されると、具体的には曲げ入れによって凹部に入るように凹部が設計されている場合に、以下で詳細に説明するように、基板への圧力、または具体的には圧力スパイクを低下させることができることが発見された。拡張スリーブ当接壁は、凹部の端部に位置するため、この圧力軽減は、拡張スリーブ当接壁の作動と「自動的に」調整され、それにより、多くの労力をかけずに性能をさらに向上させることができる。したがって、アンカーは、好ましくは、特に拡張本体が拡張スリーブに対して後方に移動したとき、および／または拡張スリーブが拡張本体によって拡張されたときに、具体的には曲げ入れによって、拡張本体凹部が拡張スリーブの一区分を受け入れるように構成される。凹部のサイズは有限であるため、拡張スリーブの一部のみが凹部に入るが、拡張スリーブの他の部分は、拡張本体の表面に沿って完全に拡張する。したがって、コンクリート応力は、拡張速度を大幅に低下させることなく、低減される。
【００１７】
本発明の別の基本的な考えは、拡張本体凹部の端部に設けられたいくつかのスリーブ当接壁が予想を下回る性能を発揮するという発見に基づいている。拡張本体凹部の側壁、すなわち円周方向に凹部を制限する壁が、拡張スリーブが凹部内に効率的に曲がることを可能にするには急勾配すぎて、スリーブ当接壁での拡張スリーブの不完全な係合につながることに起因することが発見された。この影響を克服するために、本発明は、非軸対称の断面、具体的にはアンカーボルトの半径の断面に関して非軸対称の断面を有するように、拡張本体凹部を形作ることを提案する。言い換えれば、断面は、具体的には対称軸としてのアンカーボルトの半径に対して軸対称性を有しない。これにより、拡張本体凹部側壁のうちの１つに非常に小さな傾斜を付けることができ、すなわちわずかな急勾配のみで提供することができ、これは明らかに、硬い拡張スリーブが使用されている場合でも、効率的な曲げ入れ、したがって効率的な拡張スリーブ当接壁の係合を可能にする。したがって、信頼性の高い拡張スリーブの係合、したがって特に優れた性能は、わずかな構造上の努力で達成することができる。
【００１８】
さらに、本発明の拡張本体凹部の非軸対称断面は、他の拡張本体凹部側壁に、急勾配で、それに応じて狭い構成を提供することを可能にする。この場合、拡張スリーブは、拡張スリーブのスリットがこの他の拡張本体凹部側壁と円周方向に重複するように位置付けることができる。結果として、この他の拡張本体凹部側壁で拡張スリーブを曲げる必要はなくなる。かかる構成では、より急勾配の拡張本体凹部側壁が拡張スリーブの拡張プロセスに寄与する必要がなく、したがって、この壁の製造品質に対する要求を比較的低くすることができるので、製造をさらに容易にすることができる。
【００１９】
これらの効果に加えて、提案された拡張本体凹部の非対称設計は、製造が容易な様式で、具体的には冷間成形プロセスで、引っ掛かりやすい回転防止機構などの他の有利な効果を提供することができる。
【００２０】
好ましくは、少なくとも１つの拡張本体凹部は、軸方向に延在するゾーンにおいて、非軸対称断面、具体的にはアンカーボルト断面の半径に関して非軸対称を有し、すなわち非軸対称な形状は、隣接する軸方向に間隔をあけた断面の複数の層に存在する。軸方向の延長により、拡張スリーブを特に効率的な曲げ入れが可能になる。
【００２１】
アンカーボルトは、細長い本体である。拡張本体およびアンカーボルトは、具体的には、張力を伝達するために接続されている。具体的には、拡張アンカーが、いわゆるスリーブタイプ拡張アンカーである場合、拡張本体は、アンカーボルトに、例えばねじ込まれることができる。具体的には、拡張アンカーが、いわゆるスタッドタイプ拡張アンカーである場合、拡張本体はまた、アンカーボルトにしっかりと固定することができる。スタッドタイプ拡張アンカーの場合、拡張本体およびアンカーボルトが一体である、すなわち、それらは１つの部品を形成することが特に好ましい。拡張アンカーが、いわゆるスタッドタイプ拡張アンカーである場合、アンカーボルトは、好ましくは、拡張スリーブ当接のための、および拡張スリーブをボアホールへ前進させるための前方に面する肩部を備える。
【００２２】
少なくとも１つの拡張本体凹部は、具体的には拡張本体の側面に設けられる。具体的には、少なくとも１つの拡張本体凹部は、拡張本体内に径方向に延在している。少なくとも１つの拡張本体凹部は、好ましくは拡張本体の収束ゾーンに少なくとも部分的に位置する。
【００２３】
拡張スリーブは、具体的には長手方向軸を中心にアンカーボルトを囲む。好ましくは、拡張スリーブは、単一部品である。しかしながら、いくつかの個別のセグメントで構成することもでき、それらは、ゴムバンドまたはスナップオン機構によってボルトを囲む配設に、例えば保持される。
【００２４】
好ましくは、アンカーボルト、拡張スリーブ、および／または拡張本体は、各々鋼製部品である。それらは、例えば、炭素鋼またはステンレス鋼を含むことができる。
【００２５】
アンカーボルトは、具体的にはアンカーボルトの後部領域に、張力導入構造を有し得る。張力導入構造は、アンカーボルトに後方に向けられた張力を導入するためのものである。張力導入構造は、例えば、アンカーボルトに設けられたネジ、具体的には外ネジであり得る。張力導入構造はまた、例えば、最大断面を形成する頭部、またはバヨネット式ロックであり得る。
【００２６】
拡張本体の収束ゾーンは、拡張本体が拡張スリーブに対して後方に移動されたときに拡張スリーブを拡張させるように機能し、具体的には、長手方向軸に対して径方向に拡張スリーブを拡張させるように機能する。収束ゾーンでは、拡張本体は、その側面において、アンカーボルトの後部に向かって、および／または張力導入構造に向かって収束し、収束の焦点は、好ましくは長手方向軸であり得る。これは、具体的には、拡張本体の側面の長手方向軸からの径方向距離が、拡張本体の後部に向かって小さくなることを意味する。拡張本体は、追加のゾーン、例えば、好ましくは円筒状の移行ゾーンおよび／または先端ゾーンを有することができる。収束ゾーンは、例えば円錐形であってもよく、あるいはより複雑な形状、例えば凸形状または凹形状を有していてもよい。具体的には、収束ゾーンは、拡張スリーブのためのくさびを形成する。
【００２７】
拡張スリーブ当接壁は、拡張本体と拡張スリーブとの間のインターロックを作り出すためのものである。具体的には拡張本体を拡張スリーブに後方方向に引き込むことによって、拡張本体が、拡張スリーブに対して後方方向に、すなわち拡張本体および／またはアンカーボルトの前端から離れる方向に面する方向に、軸方向に変位したときに、拡張スリーブが拡張スリーブ当接壁に当たることができるように、すなわち拡張スリーブが拡張スリーブ当接壁に当接することができるように、拡張スリーブ当接壁は、配設される。したがって、拡張スリーブ当接壁は、軸方向に拡張スリーブに面するか、または、言い換えれば、拡張スリーブ当接壁は、長手方向軸に平行な方向に拡張スリーブに面する。好ましくは、拡張スリーブ当接壁は、具体的には、軸方向に拡張スリーブの先端に面し、および／または拡張スリーブの先端の当接のために機能し、したがって、拡張スリーブ先端当接壁と名付けることができる。拡張スリーブの先端は、拡張スリーブの前端、すなわち前方方向を向く端であると理解することができる。拡張スリーブ当接壁は、拡張スリーブ、具体的には拡張スリーブの先端と向かい合って、具体的には軸方向に向かい合って配設されている。具体的には、拡張スリーブが拡張本体によって拡張される前の状態において、すなわち、アンカーの事前設置状態において、つまり、アンカーが設置される前は、拡張スリーブ当接壁は、拡張スリーブに面する、より具体的には軸方向に面している。具体的には、拡張スリーブ当接壁は、アンカーの後部に向かって面している。
【００２８】
拡張本体の拡張スリーブに対する後方方向への軸方向変位中に、および／または拡張本体による拡張スリーブの径方向拡張中に、具体的にはその先端を備えた拡張スリーブが少なくとも１つの拡張スリーブ当接壁に当たることができるように、本発明のアンカーは、構成されている。したがって、少なくとも１つの拡張スリーブ当接壁は、具体的には軸方向に拡張スリーブによって、および／または拡張スリーブの先端によって、当接されるのに適している、および／または当接されるように構成されている。具体的には、少なくとも１つの拡張スリーブ当接壁は、拡張スリーブの一区域、具体的には前端区域によって具体的には軸方向に当接されるのに適している、および／または当接されるように構成されており、その区域は、長手方向軸を中心に湾曲し、および／または拡張本体によって径方向に変位するように指定される。
【００２９】
具体的には、拡張スリーブ当接壁にステップ構造が形成され、拡張スリーブ当接壁は、それぞれのステップ構造の蹴上げを形成する。拡張スリーブ当接壁は、拡張本体の側面に、すなわち拡張本体の側方に配設されている。
【００３０】
少なくとも１つの拡張スリーブ当接壁は、アンカーボルトの側面図において真っ直ぐであってもよく、容易な構造設計を可能にする。しかしながら、少なくとも１つの拡張スリーブ当接壁はまた、アンカーボルトの側面図において湾曲していてもよく、または、アンカーボルトの側面図において、いくつかの壁セグメント、例えば、真っ直ぐな壁セグメントで構成されていてもよく、それらは、単一の拡張スリーブ当接壁を提供するように角度のある関係で接続されている。具体的には、少なくとも１つの拡張スリーブ当接壁は、アンカーボルトの側面視において凹面を形成することができ、これは製造の観点から有利であり得る。拡張本体凹部の非軸対称断面に起因して、拡張スリーブ当接壁の径方向の高さは、壁底部に対して変化し得る。
【００３１】
「長手方向軸」という用語が使用される場合、これは、具体的には、アンカーボルトの長手方向軸を指すべきであり、それは、多くの場合、拡張アンカーの長手方向軸でもある。通常の定義によれば、「長手方向軸」は、具体的には、長手方向、すなわち細長いアンカーボルトの長手方向に延びる軸であり得る。「径方向に」、「軸方向に」または「周方向に」という用語が使用される場合、これは、具体的にはアンカーボルトの長手方向軸に関して理解されるべきである。
【００３２】
有利には、少なくとも１つの拡張本体凹部は、特に断面において、第１の拡張本体凹部側壁および第２の拡張本体凹部側壁を有する。これは、本発明の非軸対称断面を特に簡単な方法で製造することを可能にする。拡張本体凹部側壁は、拡張本体凹部を円周方向に区画することができる。好ましくは、両方の拡張本体凹部側壁は、頂点で交わる。
【００３３】
好ましくは、第１の拡張本体凹部側壁は、特に断面において、第２の拡張本体凹部側壁よりも急勾配である。壁がより急勾配であるという事実は、特に、この壁が、断面において、アンカーボルトの長手方向軸に近い、および／または他の壁よりも放射状線に類似した接線を有していることを意味し得る。急勾配の異なる壁を使用すると、具体的には拡張本体凹部の非軸対称断面の製造をさらに改善することができる。第２の拡張本体凹部側壁は、好ましくは、円周方向において、第１の拡張本体凹部側壁よりも幅広である。
【００３４】
第２の拡張本体凹部側壁は、断面において、有利には湾曲しており、具体的には凸状に湾曲している。これは、特に、拡張本体が第２の拡張本体凹部側壁で凸状に突出していることを意味する。凸状に湾曲した壁は、具体的には圧延によって製造をさらに容易にすることができ、および／または特に安定した力分布を提供することができる。
【００３５】
拡張スリーブは、拡張スリーブの前端から始まる少なくとも１つのスリットを有することができる。スリットは、製造上の理由、具体的には拡張スリーブがアンカーボルトを中心にシート材料を曲げることによって製造される場合、に起因し得るものである。代替的または追加的に、少なくとも１つのスリットは、拡張スリーブの拡張を支援するために提供され得る。好ましくは、拡張スリーブは、拡張スリーブの前端から始まる複数のスリットを有し、拡張スリーブは、隣接するスリットの間にフィンガーを有する。
【００３６】
有利には、少なくとも１つのスリットは、第１の拡張本体凹部側壁と重複する位置にあるか、または拡張スリーブをアンカーボルトを中心に回転させることによって、具体的には非破壊的に、すなわちアンカーを破壊することなく、この位置にもたらされ得る。第１の拡張本体凹部側壁と重複する位置では、スリットは、第１の拡張本体凹部側壁の上に径方向に位置している。アンカーが設置されたときに、スリットが（好ましくはより急勾配）、第１の拡張本体凹部側壁に重複するように位置付けると、この位置では、拡張スリーブが急勾配な構造を中心に曲がる必要がないので、拡張本体凹部への拡張スリーブの曲げをさらに容易にすることができ、これにより、小さな曲げ半径を回避することができる。これは、明らかに、拡張スリーブと拡張スリーブ当接壁との連結をさらに改善し、それによりアンカー性能をさらに改善することができる。さらに、スリットを当該位置で第１の拡張本体凹部側壁と重複させることはまた、拡張スリーブと拡張本体との間の特に効果的な回転防止を提供することができる。
【００３７】
複数の拡張本体凹部と、拡張スリーブの前端に由来する複数のスリットとがある場合、特に好ましくは同様の理由から、拡張本体凹部の第１の拡張本体凹部側壁の各々が、当該第１の拡張本体凹部側壁と重複する位置にあるか、または少なくとも膨張スリーブをアンカーボルトを中心に回転させることによって、特に非破壊的にこの位置にもたらされ得る関連スリットを有する。これにより、各拡張本体凹部における拡張スリーブの特に効果的な曲げ入れが可能となる。好ましくは、スリットの数は、拡張本体凹部の数と同じかそれ以上であり、これにより、効率的な曲げ入れと特に単純な設計が可能となる。
【００３８】
好ましくは、拡張アンカーは、少なくとも１つのスリットを第１の拡張本体凹部側壁と重複する位置に保持するための回転ロックを有する。これにより、不利な条件でも特に良好な動作が可能となる。
【００３９】
アンカーボルトは、好ましくは拡張本体に隣接して位置するネックを有する。アンカーを設置する前に、ネックは拡張スリーブを収容することができる。具体的には、ネックは収束ゾーンの後方に位置付けられている。
【００４０】
有利には、ネックは、少なくとも１つのネック凹部を備え、拡張スリーブは、ネック凹部に係合する。とりわけ、これは、特に製造が簡単で信頼できる様式で回転防止を提供することができる。したがって、上述の回転ロックは、ネックと、ネックに係合する拡張スリーブとを備えることができる。さらに、ネック凹部は、アンカーに負荷をかけるときに拡張本体によって径方向に変位可能な拡張スリーブ材料を収容することができ、すなわちこの材料は、特許文献３に記載されているように作動することができ、これによりアンカー性能はさらに向上し得る。少なくとも１つのネック凹部は、具体的にはネックの側面に設けられる。具体的には少なくとも１つのネック凹部は、ネック内に径方向に延在する。少なくとも１つのネック凹部は、好ましくは軸方向に、具体的には長手方向軸に平行に延在する溝である。
【００４１】
特に好ましくは、少なくとも１つのネック凹部は、少なくとも１つの拡張本体凹部と円周方向に重複する。これは、特に、２つの凹部が軸方向に前後に配設されていることを意味する。この重複により、ネック凹部に係合する拡張スリーブの材料は、アンカーに負荷をかけるとき、具体的には設置時に、拡張本体凹部に入ることができる。これは、有利には、設計のさらなる範囲を提供する。特に、拡張スリーブ材料の上記の作動は、拡張本体凹部側壁、好ましくは第２の拡張本体凹部側壁で達成することができる。
【００４２】
少なくとも１つのネック凹部は、好ましくは非軸対称断面、具体的にはアンカーボルト断面の半径に対して非軸対称である。これは、有利には、設計のさらなる範囲を提供する。具体的には、少なくとも１つのネック凹部は、軸方向に延在するゾーンにおいて、非軸対称断面、具体的にはアンカーボルト断面の半径に関して非軸対称を有し、すなわち非軸対称な形状は、隣接する軸方向に間隔をあけた断面の複数の層に存在する。
【００４３】
有利には、少なくとも１つのネック凹部は、特に断面において、第１のネック凹部側壁および第２のネック凹部側壁を有する。これは、本発明の非軸対称断面を特に簡単な方法で製造することを可能にする。ネック凹部側壁は、ネック凹部を円周方向に区画することができる。好ましくは、両方のネック凹部側壁は、頂点で交わる。
【００４４】
好ましくは、第２のネック凹部側壁は、特に断面において、第１のネック凹部側壁よりも急勾配である。ここでも、壁がより急勾配であるという事実は、特に、この壁が、断面においてアンカーボルトの長手方向軸に近い、かつ／または他の壁よりも放射状線に類似した接線を有していることを意味し得る。異なる急勾配の壁を有すると、特に当接壁の非軸対称断面の製造をさらに改善することができる。第１のネック凹部側壁は、好ましくは、円周方向において、第２のネック凹部側壁よりも幅広である。
【００４５】
アンカーは、第１のネック凹部側壁が、第１の拡張本体凹部側壁と円周方向に重複しており、および／または第２のネック凹部側壁が、第２の拡張本体凹部側壁と円周方向に重複するように設計することができる。この実施形態によれば、ネック凹部は、ネック凹部の前に位置する拡張本体凹部と比較すると、逆の向きを有することができる。これは、設計および製造が容易である一方で、アンカーに負荷をかけるときに拡張スリーブ材料の特に効率的な作動を可能にすることができる。
【００４６】
第１のネック凹部側壁は、断面において、有利には湾曲しており、具体的には凸状に湾曲している。これは特に、ネックが第１のネック凹部側壁で凸状に突出していることを意味する。凸状に湾曲した壁は、具体的には圧延によって製造をさらに容易にすることができ、および／または特に良好な力分布を提供することができる。
【００４７】
すでに上述したように、アンカーボルトは、ネジ、具体的には外側ネジを有することができる。このネジは、アンカーボルトに後方に向けた張力を導入するために使用することができる。好ましくは、ナットがネジにねじ込まれ、そのナットはアンカーによって取り付けられた部品を保持することができる。ネジは、締結方向、すなわち、ナットなどのファスナーがアンカーボルトにねじ込まれるために回転させる必要がある方向、具体的には前方方向を定義する。
【００４８】
好ましくは、第２のネック凹部側壁は、締結方向に面している。言い換えれば、（好ましくはより急勾配の）第２のネック凹部側壁は、締結方向に対して前縁を形成し、第１のネック凹部側壁は、締結方向に対して後縁を形成する。これにより、アンカーの設置時にファスナーがネジにねじ込まれ、締結方向に向けられたトルクがアンカーボルトに付与されたときに、ネック凹部側壁による拡張スリーブの時期尚早の拡張を効率的に防止することができる。この場合、比較的急勾配の第２のネック凹部側壁が拡張スリーブに作用し、第２のネック凹部側壁の急勾配の設計は、比較的低い径方向の拡張力をもたらす。言い換えれば、設置トルクは拡張スリーブを効率的に押して回転させることができるが、スリーブを押して著しく拡張させることはできない。
【００４９】
また、第２の拡張本体凹部が締結方向に面していることも有利であり得る。
【００５０】
上記でより詳細に説明したように、少なくとも１つの拡張スリーブ当接壁によって生成される、拡張スリーブと拡張本体との間の軸方向の形状適合インターロックは、有利には、アンカー性能を向上させることができる。これに加えて、少なくとも１つの拡張スリーブ当接壁によって生成される、拡張スリーブと拡張本体との間の形状適合インターロックが著しいが、強すぎない場合に特に有利になり得ることが発見された。言い換えれば、拡張スリーブ当接壁が拡張スリーブを完全に停止することなく、拡張スリーブに単に「ブレーキをかける」とき、すなわち拡張スリーブ当接壁が拡張スリーブによって意図的に、および具体的にはアンカーを破壊することなく乗り越えられ得る場合に有利である。具体的には、拡張スリーブの完全な停止は、高負荷時に付着破壊が発生する可能性があり、それは多くの場合望ましくないパターンである。これは、急停止する拡張スリーブ当接壁が拡張スリーブに当てられるときに、アンカーの特性が拡張型から摩擦型に変わることで説明することができる。一方、拡張スリーブ当接壁が拡張スリーブによって乗り越えられるように設計されている場合、アンカー特性は、少なくとも部分的に、高負荷時に拡張型に戻り、それにより、最大負荷容量を、好ましくはコンクリートのコーン状破壊まで、さらに増やすことができるように、拡張スリーブにおいて拡張リザーブを有効にすることができる。したがって、拡張スリーブによって乗り越え可能な拡張スリーブ当接壁を有することにより、アンカーの特に長く滑らかな力−変位特性を作り出すことができる。
【００５１】
上記を考慮して、少なくとも１つの拡張スリーブ当接壁は、拡張スリーブを乗り越え可能に妨害するように、具体的には、拡張スリーブの軸方向の移動を乗り越え可能に妨害するように設計されている場合に特に有利である。これは、好ましくは、拡張スリーブ当接壁の深さを徐々に変化させることによって達成され得る。ここで、「妨害する」は、インターロックを作り出すことができることを意味し、「乗り越え可能に」は、具体的には高負荷時に意図的にインターロックに打ち勝つことができることを意味する。かかる乗り越え可能な妨害は、例えば、拡張スリーブ先端または／および拡張スリーブ当接壁を軸方向に沿って傾斜させることによって作り出すことができ、したがって、拡張スリーブ当接壁に当接する拡張スリーブは、拡張スリーブが拡張スリーブ当接壁を軸方向に乗り越えることができるまで、くさび効果によって、軸方向の高負荷で径方向外側に押される。
【００５２】
少なくとも１つの拡張スリーブ当接壁がアンカーボルトの後部に向かって先細になっている場合に特に有利である。したがって、好ましくは、拡張スリーブ当接壁は、少なくとも全体として、長手方向軸に対して垂直ではない。むしろ、拡張本体の半径は、拡張スリーブ当接壁においてアンカーボルトの後部に向かって徐々に減少する。これにより、特に確実な、および製造が容易な方法で乗り越え可能な妨害を作り出すことができる。好ましくは、アンカーボルトの長手方向軸に対して測定される、少なくとも１つの拡張スリーブ当接壁の最大勾配αｍａｘは、８０°または７０°よりも小さく、それは、拡張スリーブ当接壁のどの点もよりも大きな勾配を有しないことを意味する。より大きな角度では、特定の状況に対してインターロックが強すぎることが観察されている。通常の定義に従って、長手方向軸に対して測定される勾配は、具体的には、壁のある点での接線と長手方向軸との間の角度であると理解することができ、縦断面、すなわち、長手方向軸を含む平面における測定値である。
【００５３】
また、好ましくは、アンカーボルトの長手方向軸に対して測定される、少なくとも１つの拡張スリーブ当接壁の最大勾配αｍａｘは、３０°よりも大きい。勾配にこの下方限界を有することは、特に確実なインターロックを確保し、特に簡単な方法で容量を最大化することができる。
【００５４】
拡張本体は、収束ゾーンの前に位置する移行ゾーンを有することができる。かかる移行ゾーンでは、拡張本体の収束は、収束ゾーンと比較して少なくとも急勾配ではない、または収束は、全く存在しなくてもよい。かかる移行ゾーンは、拡張スリーブを過度に拡張させること、および高負荷時に周囲の基板に過度の応力をかけることを防止することができる。収束が全く存在しない場合、移行ゾーンは、円筒形の側面を有することができ、円筒形は、広い定義で理解されるべきであり、円筒形底部は、円形であってもよいが、必ずしも円形である必要はない。
【００５５】
少なくとも１つの拡張スリーブ当接壁は、好ましくは、拡張本体の比較的前方に位置し、したがって、拡張スリーブとのインターロックは、拡張スリーブがすでに確実に固定されたときにのみ生成される。したがって、時期尚早の引き抜きを効率的に回避することができ、コンクリート使用法を改善することができる。移行ゾーンが提供される場合、少なくとも１つの拡張スリーブ当接壁は、好ましくは、移行ゾーンの近く、または移行ゾーン内に位置する。これにより、拡張スリーブ当接壁の特に適切に調整された作動、およびしたがって特に優れた負荷特性をもたらすことができる。具体的には、この場合、拡張スリーブ当接壁は、拡張スリーブがすでに確実に固定され、基板への圧力の増加が比較的低い後期拡張段階の前では、拡張スリーブと係合しない。この段階において、インターロックの貢献が特に効率的であり得る。したがって、コンクリート使用法をさらに改善することができる。
【００５６】
好ましくは、拡張本体は、少なくとも１つの拡張本体凹部に隣接する弓形の断面を有する。これにより、基板に特定の均一な負荷をかけることができる。通常の定義に従って、断面とは、長手方向軸に垂直な断面であることを意味する。
【００５７】
特に好ましくは、拡張本体が複数の拡張本体凹部を有し、各拡張本体凹部が、具体的にはそれぞれの前端で、拡張スリーブ当接壁によって区画される。したがって、複数の拡張スリーブ当接壁もある。これにより、複数の壁の配置における単一の拡張スリーブ当接壁に関連する上記の利点を実現することができ、いくつかの拡張スリーブ当接壁を設けると、その性能および使いやすさが向上し得る。好ましくは、最小２つまたは最小３つの拡張本体凹部および拡張スリーブ当接壁が提供される。複数の拡張スリーブ当接壁を有することは、特に均一な荷重分布、およびしたがって、製造が容易である一方で、拡張スリーブの特に確実なインターロックを提供することができる。さらに、アンカーおよび／または周囲のコンクリートにおけるピーク荷重を回避することができ、それにより性能がさらに向上する。さらに、有利には軸方向に自由なスリーブ領域の設計を容易にし、それによって、低コストで性能をさらに向上させることができる。個々の拡張スリーブ当接壁は、具体的には、別の当接壁から分離している、および／またはそれと区別することができる。
【００５８】
この本文では、「少なくとも１つの拡張本体凹部」の特性が繰り返し参照される。本発明に従って、複数の拡張本体凹部が提供される場合、複数の拡張本体凹部のうちの少なくとも１つがこれらの特性を有することができ、または特に明記されない限り、複数の拡張本体凹部のすべてがこれらの特性を有することができる。この本文では、「少なくとも１つの拡張スリーブ当接壁」の特性が繰り返し参照される。本発明に従って、複数の拡張スリーブ当接壁が提供される場合、複数の拡張スリーブ当接壁の少なくとも１つがこれらの特性を有することができ、または特に明記されない限り、複数の拡張スリーブ当接壁のすべてがこれらの特性を有することができる。
【００５９】
拡張スリーブ当接壁が横に並んで配設されていること、すなわち、それらが軸方向に重複することが特に好ましい。好ましくは、少なくとも、すべての拡張スリーブ当接壁と交差する長手方向軸に垂直な平面上にある。これにより、特に良好に調整され、ひいては効率的な、製造しやすいスリーブ構造とのインターロックが可能になる。
【００６０】
拡張本体が最大８個、好ましくは最大６個、特に好ましくは最大４個の拡張スリーブ当接壁を有する場合、特に有利である。したがって、拡張スリーブ当接壁は比較的少なく、また拡張本体凹部も比較的少ない。これにより、それぞれの拡張スリーブ当接壁、および拡張本体凹部を特に容易な方法で特に効果的に設計することができる。具体的には、要素が少ししかないため、複雑な設計を必要とせずに比較的幅広くすることができる。幅の広い拡張スリーブ当接壁により、効果的なインターロックが可能になり、幅の広い拡張本体凹部により、拡張スリーブの効果的な曲げ入れが可能になる。特に好ましくは、拡張本体は、３つまたは４つの拡張本体凹部を備え、各々が拡張スリーブ当接壁によって区画される、すなわち３つまたは４つの拡張スリーブ当接壁がある。
【００６１】
好ましくは、拡張スリーブ当接壁は、アンカーボルト上に回転可能に対称的な様式で配設され、膨張スリーブ当接壁は、拡張本体を中心として等距離に配設され、および／または膨張スリーブ当接メント壁は、すべて通常の製造公差の範囲内で、等しい幅を有している。かかる対称的な配置により、荷重バランスを向上させ、したがって、性能をさらに向上させることができる。
【００６２】
頂角βがより大きい場合、急勾配の拡張スリーブ当接壁がすでに急勾配の収束ゾーンによって覆われる効果の可能性が高くなる。それがより小さい場合、拡張スリーブ当接壁においてインターロックがある場合でも、基板荷重が高くなる。
【００６３】
好ましくは、アンカーボルトおよび／または拡張本体の最大直径は、３０ｍｍまたは２５ｍｍ未満である。本発明は、比較的小さなアンカーに対して特に有用である。
【００６４】
本発明はまた、本発明の拡張アンカーを使用するための、具体的には設置するための方法に関し、拡張本体は、具体的には拡張スリーブを拡張させるために、拡張スリーブに対して後方に移動され、拡張スリーブは、少なくとも１つの拡張スリーブ当接壁に当たる。具体的には、本発明はまた、本発明の拡張アンカーを使用するための、具体的には設置するための方法に関し、アンカーは、孔に挿入され、拡張本体は、アンカーが孔に位置する状態で、具体的には少なくとも拡張スリーブの先端が孔に位置する状態で、拡張スリーブに対して後方に移動され、拡張スリーブは、少なくとも１つの拡張スリーブ当接壁に当たる。したがって、アンカーは、意図した通りに使用および／または設置される。拡張本体を拡張スリーブに対して後方に移動させることは、好ましくは、アンカーボルトを拡張本体が取り付けられた状態で、孔から引っ張ることによって、または／および拡張本体をアンカーボルトに対して後方に移動させることによって実現することができる。
【００６５】
さらに、拡張本体が拡張スリーブに対して後方に移動され、拡張スリーブの一領域が少なくとも１つの拡張本体凹部に挿入される場合に有利である。
【００６６】
拡張アンカーに関連してここに記載される機能は、拡張アンカーを使用するための方法に使用することもでき、拡張アンカーを使用するための方法に関連してここに記載される機能は、拡張アンカー自体に使用することもできる。
【００６７】
本発明は、添付の図面に概略的に描写される好ましい実施例を参照して以下により詳細に説明され、以下に提示される実施例の個々の特徴は、本発明の技術的範囲内で個別にまたは任意の組み合わせで実施することができる。
【図面の簡単な説明】
【００６８】
【図１】コンクリート基板に位置する本発明の拡張アンカーの側面図である。
【図２】図１の拡張アンカーのアンカーボルトの側面図である。
【図３】図１の拡張アンカーのアンカーボルトの、図２による断面Ａ−Ａを示す図である。
【図４】図１の拡張アンカーのアンカーボルトの、図２による断面Ｂ−Ｂを示す図である。
【図５】図１の拡張アンカーのアンカーボルトの第１の斜視図である。
【図６】図１の拡張アンカーのアンカーボルトの第２の斜視図である。
【図７】図１の拡張アンカーの前部領域、すなわち先端領域の拡大側面図である。
【図８】図１の拡張アンカーの、図７による断面Ｃ−Ｃを示す図である。
【図９】図１の拡張アンカーの、図７による断面Ｄ−Ｄを示す図である。
【図１０】図１の拡張アンカーの、図８による長手方向断面Ｅ−Ｅを示す図である。
【図１１】図１の拡張アンカーの、図８による長手方向断面Ｆ−Ｆを示す図である。
【図１２】図１の拡張アンカーの前部領域、すなわち先端領域の拡大斜視図である。
【発明を実施するための形態】
【００６９】
図は、本発明の拡張アンカーの実施例を示す。拡張アンカーは、長手方向軸９９を定義する細長いアンカーボルト１０と、アンカーボルト１０を囲む拡張スリーブ３０と、アンカーボルト１０に、すなわちアンカーボルト１０の前端の近傍に設けられた、拡張スリーブ３０のための拡張本体１２と、を備える。
【００７０】
具体的には図２および図１１に示すように、拡張本体１２は、拡張本体１２が拡張スリーブ３０に後方方向に引き込まれるとき、すなわち拡張スリーブ３０が拡張本体１２上で拡張本体１２に向かって拡張本体１２に対して前方に移動されるとき、拡張スリーブ３０を径方向に拡張させるように設計された収束ゾーン２３を有する。この目的のために、拡張本体１２の側面は、アンカーの後部に向かって収束ゾーン２３に収束する、すなわち、少なくともアンカーが設置される前は、拡張スリーブ３０に向かって収束する。本実施例では、拡張本体１２の側面は、図１１に示すように、収束の焦点を長手方向軸９９上に有し、頂角βを有する収束ゾーン２３において円錐形である。しかしながら、これは単なる例であり、他の収束設計も可能である。
【００７１】
本実施例では、拡張本体１２はまた、収束ゾーン２３の前方かつそれに隣接して位置する移行ゾーン２２、および移行ゾーン２２の前方かつそれに隣接して位置する先端ゾーン２１を有する。移行ゾーン２２では、後方への収束は、収束ゾーン２３と比較して小さい、または後方への収束は、ゼロであっても、好ましくは逆方向ではない、すなわち前方への収束ではない。本実施例では、収束は、収束ゾーン２３には存在しない、すなわちゼロであり、拡張本体１２は、収束ゾーン２３において円筒状の側面、具体的には円形底部を有する円筒状の側面を有する。先端ゾーン２１では、拡張本体１２の側面は、アンカーの前端に向かって収束する。
【００７２】
アンカーボルト１０は、拡張本体１２に隣接かつその後方に位置するネック２５を有する。拡張スリーブ３０は、少なくともアンカーの設置前は、このネック２５を少なくとも部分的に取り囲んでいる。ネック２５において、アンカーボルト１０の直径は、最小であり得る。
【００７３】
本実施例では、アンカーは、スタッドタイプである。アンカーボルト１０は、ネック２５の後方端に、拡張スリーブ３０と軸方向に係合するための、および拡張スリーブ３０を前方に前進させるための前方に面する肩部１７を有する。本場合、拡張本体１２は、例として、アンカーボルト１０と一体である。
【００７４】
アンカーボルト１０の後部領域において、アンカーボルト１０は、後方に向けられた張力をアンカーボルト１０に導入するための張力導入構造を提供する外側ネジ１８を備えている。ネジ１８は、図１に破線の矢印として示される締結方向を定義する。締結方向は、ナット８をアンカーボルト１０の先端に向かって前進させるために、ネジ１８上に位置するナット８を回転させる必要がある方向である。図示の実施例の場合、右手方向である。
【００７５】
拡張スリーブ３０は、拡張スリーブ３０の前端から始まり、拡張スリーブ３０の後端に向かって延在する複数のスリット３６’、３６’’、３６’’’、３６’’’’を備えている。スリット３６’、３６’’、３６’’’、３６’’’’は、拡張スリーブ３０の径方向の拡張を容易にする。
【００７６】
拡張本体１２の側面には、複数の拡張本体凹部６６’、６６’’、６６’’’、６６’’’’が設けられている（本場合では例示的に４個であるが、異なる数が設けられてもよい）。これらの拡張本体凹部６６’、６６’’、６６’’’、６６’’’’は、拡張本体１２の外側から径方向に出入り可能である。以下でさらに詳細に説明するそれらの形状に起因して、側面から見ると、それらの各々がおおよそ三角形の輪郭を有する。しかしながら、他の外形も可能である。断面において、拡張本体１２は、拡張本体凹部６６’、６６’’、６６’’’、６６’’’’で円から逸脱する。
【００７７】
拡張本体凹部６６の各々は、その前端が拡張スリーブ当接壁６０によって終端されている。本実施例では、４個の拡張本体凹部６６’、６６’’、６６’’’、６６’’’’が存在するため、４個の拡張スリーブ当接壁６０’、６０’’、６０’’’、６０’’’’も存在する。これらの拡張スリーブ当接壁６０’、６０’’、６０’’’、６０’’’’の各々は、拡張スリーブ３０に面しており、すなわち後方に面しており、拡張スリーブ３０の前端、すなわち先端に対して、乗り越え可能な軸方向止め具を形成する。
【００７８】
図１０に示すように、および例として、拡張スリーブ当接壁６０’’’において、拡張スリーブ当接壁６０’、６０’’、６０’’’、６０’’’’の各々は、長手方向軸９９に対して長手方向に測定される、最大勾配αｍａｘを有する。拡張スリーブ当接壁６０’、６０’’、６０’’’、６０’’’’は、横に並び、長手方向軸９９に沿った同じ位置に位置し、円周方向において重複しない。拡張スリーブ当接壁６０’、６０’’、６０’’’、６０’’’’は、すべて移行ゾーン２２のすぐ後方の収束ゾーン２３に位置する。
【００７９】
拡張本体凹部６６’、６６’’、６６’’’、６６’’’’の各々は、第１の拡張本体凹部側壁および第２の拡張本体凹部側壁を有し、２つの拡張本体凹部側壁は、それぞれの拡張本体凹部６６’、６６’’、６６’’’、６６’’’’を円周方向に区画している。したがって、拡張本体凹部側壁は、円周側壁である。拡張本体凹部６６’の場合、第１の拡張本体凹部側壁は参照番号６１’で標記され、第２の拡張本体凹部側壁は参照番号６２’でそれぞれ標記されている。残りの拡張本体凹部６６’’、６６’’’、６６’’’’の拡張本体凹部側壁は、拡張本体凹部６６’のものと類推されるが、分かりやすさのために参照番号が設けられていない。
【００８０】
第１の拡張本体凹部側壁６１は、ネジ１８の締結方向に対して後縁を形成し、それは、ネジ１８の締結方向において、それぞれの拡張本体凹部６６’、６６’’、６６’’’、６６’’’’の第２の拡張本体凹部側壁６２の上流に、すなわち図１の破線の矢印で示す方向に位置している。したがって、第２の拡張本体凹部側壁６２は、ネジ１８の締結方向に対して前縁を形成し、ネジ１８の締結方向に面している。拡張本体凹部６６’、６６’’、６６’’’、６６’’’’の各々において、それぞれの第１の拡張本体凹部の側壁６１は、それぞれの第２の拡張本体凹部側壁６２と交わり、それによって頂点を形成する。図８に特によく見られるように、拡張本体凹部６６’、６６’’、６６’’’、６６’’’’の各々において、それぞれの第２の拡張本体凹部側壁６２は、断面が凸状に湾曲している。
【００８１】
拡張本体凹部６６’、６６’’、６６’’’、６６’’’’の各々において、それぞれの第１の拡張本体凹部側壁６１は、断面において、それぞれの第２の拡張本体凹部側壁６２よりも急勾配である（すなわち、長手方向軸９９から始まる径方向平面に近い）。その結果、拡張本体凹部６６’、６６’’、６６’’’、６６’’’’の各々は、非軸対称断面を有する。拡張本体１２は、拡張本体凹部６６’、６６’’、６６’’’、６６’’’’の前方に円形断面を有するので、この設計は、図８で特によく見られるように、スリーブ当接壁６０’、６０’’、６０’’’、６０’’’’の各々が非軸対称断面を有する結果となる。特に、拡張スリーブ当接壁６０’、６０’’、６０’’’、６０’’’’の各々の深さは、締結方向で円周方向に見たときに浅い様式で増加し、急勾配の様式で減少する。
【００８２】
ネック２５の側面には、複数のネック凹部７６’、７６’’、７６’’’、７６’’’’が設けられている（本場合では例示的に４個であるが、異なる数が設けられてもよい）。これらのネック凹部７６’、７６’’、７６’’’、７６’’’’は、アンカーボルト１０の外側から径方向に出入り可能である。ネック凹部７６’、７６’’、７６’’’、７６’’’’は各々長手方向の溝であり、長手方向軸９９に平行に延在している。断面において、ネック２５は、ネック凹部７６’、７６’’、７６’’’、７６’’’’において円から逸脱する。ネック凹部７６’、７６’’、７６’’’、７６’’’’の各々は、拡張本体凹部６６’６６’’、６６’’’、６６’’’’のうちの１つと拡張スリーブ当接壁６０’、６０’’、６０’’’、６０’’’’のうちの１つとに円周方向に重複しており、これは図４において特によく見られる。特に、凹部７６’は、凹部６６’と円周方向に重複し、壁６０’と重複し、凹部７６’’は、凹部６６’’と壁６０’’と重複し、以下同様である。
【００８３】
図９で特によく分かるように、拡張スリーブ３０は、ネック凹部７６’、７６’’、７６’’’、７６’’’’に係合する。この目的のために、拡張スリーブは、軸方向に延在する厚みを有し、この厚みは、ネック凹部７６’、７６’’、７６’’’、７６’’’’に突出している。この係合は、回転ロックを形成し、これは、アンカーボルト１０を中心とした拡張スリーブ３０の回転を防止する。特に、回転ロックは、各スリット３６’、３６’’、３６’’’、３６’’’’が第１の拡張本体凹部側壁６１のうちの１つと円周方向に重複する位置に拡張スリーブ３０をロックし、その結果、スリット３６’、３６’’、３６’’’、３６’’’’の各々は、第１の拡張本体凹部側壁６１のうちの１つの上で径方向に位置する。
【００８４】
ネック凹部７６’、７６’’、７６’’’、７６’’’’の各々は、第１のネック凹部側壁および第２のネック凹部側壁を有し、これらの２つのネック凹部側壁は、それぞれのネック凹部７６’、７６’’、７６’’’、７６’’’’を円周方向に制限する。したがって、ネック凹部側壁は、円周側壁である。ネック凹部７６’の場合、それぞれ、第１のネック凹部側壁は参照番号７１’で標記され、第２のネック凹部側壁は参照番号７２’で標記されている。残りのネック凹部７６’’、７６’’’、７６’’’’のネック凹部側壁は、ネック凹部７６’のものと類推されるが、分かりやすさのために参照番号が設けられていない。
【００８５】
第１のネック凹部側壁７１は、ネジ１８の締結方向に対して後縁を形成し、それは、ネジ１８の締結方向において、それぞれのネック凹部７６’、７６’’、７６’’’、７６’’’’の第２のネック凹部側壁７２の上流に、すなわち図１の破線の矢印で示す方向に位置している。したがって、第２のネック凹部側壁７２は、ネジ１８の締結方向に対して前縁を形成し、ネジ１８の締結方向に面している。ネック凹部７６’、７６’’、７６’’’、７６’’’’の各々において、それぞれの第１のネック凹部の側壁７１は、それぞれの第２のネック凹部側壁７２と交わり、それによって頂点を形成する。ネック凹部７６’、７６’’、７６’’’、７６’’’’の各々において、それぞれの第１のネック凹部側壁７１は、断面において凸状に湾曲している。ネック凹部７６’、７６’’、７６’’’、７６’’’’の各々において、それぞれの第２のネック凹部側壁７２は、断面において、それぞれの第１のネック凹部側壁７１よりも急勾配である（すなわち、長手方向軸９９から始まる径方向平面に近い）。このすべては、図９を参照すると特によくわかる。
【００８６】
アンカーが設置されると、それは、前端が最初に基板６の孔に導入される。続いて、拡張本体１２は、拡張スリーブ３０の前端領域に引き込まれる、すなわち、拡張スリーブ３０は、拡張本体１２に対して前方に、および拡張本体１２の上に押される。本実施例では、これは、アンカーボルト１０を拡張本体１２と共に後方に引っ張ることによって、具体的には、アンカーボルト１０のネジ１８に設けられたナット８を締結方向に締結することによって実現される。基板６は、拡張スリーブ３０に径方向の圧力を加えるので、拡張スリーブ３０は、拡張本体１２が拡張スリーブ３０の前端領域に引き込まれると、拡張本体凹部６６’、６６’’、６６’’’、６６’’’’内に径方向にわずかに曲がる。拡張本体凹部６６’、６６’’、６６’’’、６６’’’’の非軸対称断面、および回転ロックによって強制される第１の拡張本体凹部側壁６１のうちの１つに対する各々のスリット３６の重複関係は、この曲げ入れプロセスを容易にする。ある段階で、拡張スリーブ３０は、その先端が曲げ入れ領域にある状態で、拡張スリーブ当接壁６０’、６０’’、６０’’’、６０’’’’に軸方向に当たる。これにより、拡張スリーブ当接壁６０’、６０’’、６０’’’、６０’’’’において、拡張スリーブ３０と拡張本体１２との間に形状適合型の軸方向のインターロックが生じる。このインターロックは、拡張機構の一時的に変更をもたらし、基板６の過度の応力なくして、引き抜き抵抗を増加させることができる。
【００８７】
拡張スリーブ当接壁６０’、６０’’、６０’’’、６０’’’’と拡張スリーブ３０との間の境界面は、高引張負荷で意図的にインターロックに打ち勝つことができるように設計されており、拡張機構の復帰、および潜在的には高負荷時に特に良好な抵抗をもたらす。
【００８８】
ナット８の締結は、設置の開始時に、アンカーボルト１０を拡張スリーブ３０に対して締結方向に回転させる傾向がある。しかしながら、第２のネック凹部側壁７２は締結方向に前縁を形成し、したがってアンカーボルト１０が締結方向に回転すると拡張スリーブ３０に対して作用するのは第２のネック凹部側壁７２であるため、そして、これらの第２のネック凹部側壁７２は比較的急勾配であるので、これは、ネック２５における拡張スリーブ３０の時期尚早な径方向の拡張をもたらさない。
【図１】
2021528602.tif 000003
【図２】
2021528602.tif 000004
【図３】
2021528602.tif 000005
【図４】
2021528602.tif 000006
【図５】
2021528602.tif 000007
【図６】
2021528602.tif 000008
【図７】
2021528602.tif 000009
【図８】
2021528602.tif 000010
【図９】
2021528602.tif 000011
【図１０】
2021528602.tif 000012
【図１１】
2021528602.tif 000013
【図１２】
2021528602.tif 000014
【国際調査報告】
2021528602.tif 000015
2021528602.tif 000016